(57)【要約】【課題】  ＥＶＦのヒストグラム表示を確認しながら、撮影時の露出値を決定するための露出補正値の調節を正確に行うことができるようにする。【解決手段】  露出補正値が設定されておりかつヒストグラムを表示する場合は、ＥＶＦ用の露出値として適正露出値に露出補正を加えた露出値を用いるとともに、測光の際には前記ＥＶＦ用の露出値を適正露出に一旦戻してから測光を行うようにすることにより、ＥＶＦ用の露出値に露出補正値を加えることにより発生する不都合、及び露出補正値を加えないことにより発生する不都合の両方を防止できるようにする。【選択図】  図１
2007036676.tif 000002
【特許請求の範囲】
【請求項１】
露出補正値が設定された場合にはファインダー表示用の露出値には露出補正を加えない適正露出値を用い、撮影用の露出値には適正露出値に露出補正を加えた露出値を用いるようになされた撮像装置において、
ファインダー表示装置に輝度分布を示す表示が行われ、かつ露出補正が行われている第１の動作モードと、前記輝度分布を示す表示が行われていない第２の動作モードとを制御する動作モード制御手段と、
前記第１の動作モードまたは第２の動作モードの何れで動作しているのかを判定する動作モード判定手段と、
前記動作モード判定手段の判定の結果、前記第１の動作モードで動作している場合には前記ファインダー表示装置に表示する画像の表示更新を停止する表示制御手段と、
前記表示制御手段により前記画像の表示更新が停止された場合には、前記ファインダー表示用の露出補正値をキャンセルして適正露出に設定する露出設定手段と、
前記露出設定手段により設定された適正露出を用いて測光を行う測光手段とを有することを特徴とする撮像装置。
【請求項２】
露出補正値が設定された場合にはファインダー表示用の露出値には露出補正を加えない適正露出値を用い、撮影用の露出値には適正露出値に露出補正を加えた露出値を用いるようになされた撮像装置において、
ファインダー表示装置に輝度分布を示す表示が行われ、かつ露出補正が行われている第１の動作モードと、前記輝度分布を示す表示が行われていない第２の動作モードとを制御する動作モード制御手段と、
前記第１の動作モードまたは第２の動作モードの何れで動作しているのかを判定する動作モード判定手段と、
前記動作モード判定手段の判定の結果、前記第１の動作モードで動作している場合にはファインダー表示用の露出値として適正露出値に露出補正を加えた露出値を用い、前記第２の動作モードで動作している場合にはファインダー表示用の露出値には露出補正を加えない適正露出値を用いるように選択する露出値選択手段とを有することを特徴とする撮像装置。
【請求項３】
撮像画面に結像される被写体からの入射光を光電変換する撮像手段と、
前記撮像手段の蓄積時間を制御する蓄積時間制御手段、撮像光学系の透過光量を制御する絞り制御手段または撮像手段からの出力を増幅する増幅手段のうち、少なくともひとつ以上の手段を有する露出制御手段と、
前記被写体の輝度を測定する測光手段と、
前記測光手段による測光結果等に基づいて露出演算を行う露出演算手段と、
前記露出演算手段による演算結果から適正露出値を設定する適正露出値設定手段と、
前記適正露出値設定手段により設定された適正露出値に対して露出補正を加える露出補正手段と、
前記被写体の動画像を表示してファインダーとして利用するためのファインダー表示装置と、
被写体画像の輝度分布をヒストグラムとして前記ファインダー表示装置の画面に表示するヒストグラム表示手段と、
露出補正値が設定された場合にはファインダー表示用の露出値には露出補正を加えない適正露出値を用い、撮影用の露出値には適正露出値に露出補正を加えた露出値を用いるように選択する露出値選択手段とを備え、
前記露出値選択手段は、露出補正値が設定されておりかつヒストグラムを表示する場合はファインダー表示用の露出値として適正露出値に露出補正を加えた露出値を用いることを特徴とする撮像装置。
【請求項４】
前記ファインダー表示装置に前記ヒストグラムを表示中に行われる撮影指示により撮影用の露出値を決定する際に、露出補正値が設定されている場合はファインダー表示用の露出値に加えられている露出補正を一旦解除して適正露出値に戻してから測光して撮影用の露出値を決定し、露出補正値が設定されていない場合はファインダー表示用の露出値での直前の測光結果から撮影用の露出値を決定する手段を有することを特徴とする請求項３に記載の撮像装置。
【請求項５】
前記ファインダー表示用の露出値に加えられている露出補正を一旦解除している間は前記ヒストグラム表示の更新を停止する手段を有することを特徴とする請求項４に記載の撮像装置。
【請求項６】
前記撮影用の露出値を決定した後で前記停止していたヒストグラム表示の更新を再開する手段を有することを特徴とする請求項５に記載の撮像装置。
【請求項７】
露出補正値が設定された場合にはファインダー表示用の露出値には露出補正を加えない適正露出値を用い、撮影用の露出値には適正露出値に露出補正を加えた露出値を用いるようになされた撮像装置の制御方法において、
ファインダー表示装置に輝度分布を示す表示が行われ、かつ露出補正が行われている第１の動作モードと、前記輝度分布を示す表示が行われていない第２の動作モードとを制御する動作モード制御工程と、
前記第１の動作モードまたは第２の動作モードの何れで動作しているのかを判定する動作モード判定工程と、
前記動作モード判定工程における判定の結果、前記第１の動作モードで動作している場合には前記ファインダー表示装置に表示する画像の表示更新を停止する表示制御工程と、
前記表示制御工程において前記画像の表示更新が停止された場合には、前記ファインダー表示用の露出補正値をキャンセルして適正露出に設定する露出設定工程と、
前記露出設定工程において設定された適正露出を用いて測光を行う測光工程とを有することを特徴とする撮像装置の制御方法。
【請求項８】
露出補正値が設定された場合にはファインダー表示用の露出値には露出補正を加えない適正露出値を用い、撮影用の露出値には適正露出値に露出補正を加えた露出値を用いるようになされた撮像装置の制御方法において、
ファインダー表示装置に輝度分布を示す表示が行われ、かつ露出補正が行われている第１の動作モードと、前記輝度分布を示す表示が行われていない第２の動作モードとを制御する動作モード制御工程と、
前記第１の動作モードまたは第２の動作モードの何れで動作しているのかを判定する動作モード判定工程と、
前記動作モード判定工程における判定の結果、前記第１の動作モードで動作している場合にはファインダー表示用の露出値として適正露出値に露出補正を加えた露出値を用い、前記第２の動作モードで動作している場合にはファインダー表示用の露出値には露出補正を加えない適正露出値を用いるように選択する露出値選択工程とを有することを特徴とする撮像装置の制御方法。
【請求項９】
撮像画面に結像される被写体からの入射光を光電変換する撮像工程と、
前記撮像工程の蓄積時間を制御する蓄積時間制御工程、撮像光学系の透過光量を制御する絞り制御工程または撮像工程からの出力を増幅する増幅工程のうち、少なくともひとつ以上の工程を有する露出制御工程と、
前記被写体の輝度を測定する測光工程と、
前記測光工程による測光結果等に基づいて露出演算を行う露出演算工程と、
前記露出演算工程による演算結果から適正露出値を設定する適正露出値設定工程と、
前記適正露出値設定工程において設定された適正露出値に対して露出補正を加える露出補正工程と、
前記被写体の動画像を表示してファインダーとして利用するためのファインダー表示装置に被写体画像の輝度分布をヒストグラムとして表示するヒストグラム表示工程と、
露出補正値が設定された場合にはファインダー表示用の露出値には露出補正を加えない適正露出値を用い、撮影用の露出値には適正露出値に露出補正を加えた露出値を用いるように選択する露出値選択工程とを有し、
前記露出値選択工程においては、露出補正値が設定されておりかつヒストグラムを表示する場合はファインダー表示用の露出値として適正露出値に露出補正を加えた露出値を用いることを特徴とする撮像装置の制御方法。
【請求項１０】
前記ファインダー表示装置に前記ヒストグラムを表示中に行われる撮影指示により撮影用の露出値を決定する際に、露出補正値が設定されている場合はファインダー表示用の露出値に加えられている露出補正を一旦解除して適正露出値に戻してから測光して撮影用の露出値を決定し、露出補正値が設定されていない場合はファインダー表示用の露出値での直前の測光結果から撮影用の露出値を決定する工程を有することを特徴とする請求項９に記載の撮像装置の制御方法。
【請求項１１】
前記ファインダー表示用の露出値に加えられている露出補正を一旦解除している間は前記ヒストグラム表示の更新を停止する工程を有することを特徴とする請求項１０に記載の撮像装置の制御方法。
【請求項１２】
前記撮影用の露出値を決定した後で前記停止していたヒストグラム表示の更新を再開する工程を有することを特徴とする請求項１１に記載の撮像装置の制御方法。
【請求項１３】
露出補正値が設定された場合にはファインダー表示用の露出値には露出補正を加えない適正露出値を用い、撮影用の露出値には適正露出値に露出補正を加えた露出値を用いるようになされた撮像装置の制御方法をコンピュータに実行させるコンピュータプログラムにおいて、
ファインダー表示装置に輝度分布を示す表示が行われ、かつ露出補正が行われている第１の動作モードと、前記輝度分布を示す表示が行われていない第２の動作モードとを制御する動作モード制御工程と、
前記第１の動作モードまたは第２の動作モードの何れで動作しているのかを判定する動作モード判定工程と、
前記動作モード判定工程における判定の結果、前記第１の動作モードで動作している場合には前記ファインダー表示装置に表示する画像の表示更新を停止する表示制御工程と、
前記表示制御工程において前記画像の表示更新が停止された場合には、前記ファインダー表示用の露出補正値をキャンセルして適正露出に設定する露出設定工程と、
前記露出設定工程において設定された適正露出を用いて測光を行う測光工程とを有する撮像装置の制御方法をコンピュータに実行させることを特徴とするコンピュータプログラム。
【請求項１４】
露出補正値が設定された場合にはファインダー表示用の露出値には露出補正を加えない適正露出値を用い、撮影用の露出値には適正露出値に露出補正を加えた露出値を用いるようになされた撮像装置の制御方法をコンピュータに実行させるコンピュータプログラムにおいて、
ファインダー表示装置に輝度分布を示す表示が行われ、かつ露出補正が行われている第１の動作モードと、前記輝度分布を示す表示が行われていない第２の動作モードとを制御する動作モード制御工程と、
前記第１の動作モードまたは第２の動作モードの何れで動作しているのかを判定する動作モード判定工程と、
前記動作モード判定工程における判定の結果、前記第１の動作モードで動作している場合にはファインダー表示用の露出値として適正露出値に露出補正を加えた露出値を用い、前記第２の動作モードで動作している場合にはファインダー表示用の露出値には露出補正を加えない適正露出値を用いるように選択する露出値選択工程とを有する撮像装置の制御方法をコンピュータに実行させることを特徴とするコンピュータプログラム。
【請求項１５】
前記請求項１３または１４のいずれか１項に記載のコンピュータプログラムを記録したことを特徴とするコンピュータ読み取り可能な記録媒体。
【発明の詳細な説明】
【技術分野】
【０００１】
本発明は撮像装置、撮像装置の制御方法、コンピュータプログラム及び記録媒体に関し、特に、輝度分布を示す表示手段を有し露出補正が可能な撮像装置に用いて好適な技術に関する。
【背景技術】
【０００２】
一般的に、ＣＣＤ等の撮像素子を用いてデジタル画像を記録するデジタルカメラには、ＬＣＤ等の表示パネルが設けられている。そして、撮影された画像を前記表示パネルに表示するだけではなく、撮影前の被写体の動画像を表示することで、表示パネルを電子ビューファインダー（以下、ＥＶＦとする）として利用するとともに、撮影に関する各種の情報をＥＶＦ上に合わせて表示するようになされたものが実用化されている。
【０００３】
例えば、特許文献１及び特許文献２には、被写体画像とともに被写体の輝度分布をヒストグラムとしてファインダーに表示する技術が開示されており、ヒストグラム表示が露出補正によって変動することが示されている。
【０００４】
また、従来のデジタルカメラは、ＣＣＤ等のように、ダイナミックレンジの狭い撮像素子を使用している。そのため、デジタルカメラで算出した適正露出値に対して露出補正を加えた露出値を用いて測光を行うと、被写体の輝度がダイナミックレンジを外れて露出精度が悪化したり、ダイナミックレンジ内に収まるまで測光と露出制御を交互に繰り返すために動作レスポンスが悪化したりする。
【０００５】
このため、露出精度や動作レスポンスを重視するために、ＥＶＦ用の露出値には露出補正値を加えずに適正露出値を用いるようにしたデジタルカメラが提案されている。
【０００６】
【特許文献１】特許第３３８７１４３号公報
【特許文献２】特開２００１−２４５２０４号公報
【発明の開示】
【発明が解決しようとする課題】
【０００７】
前述のデジタルカメラにおいては、ＥＶＦ用の露出値には露出補正値が加えられていないため、ＥＶＦに表示されたヒストグラムを見ながら撮影用の露出値を決定する際に、露出補正値の調節を正確に行うことが困難である問題点があった。
本発明は前述の問題点に鑑み、露出精度とレリーズ時の動作レスポンスを悪化させることなく、露出補正値の調節を正確に行うことができるようにすることを目的とする。
【課題を解決するための手段】
【０００８】
本発明の撮像装置は、露出補正値が設定された場合にはファインダー表示用の露出値には露出補正を加えない適正露出値を用い、撮影用の露出値には適正露出値に露出補正を加えた露出値を用いるようになされた撮像装置において、ファインダー表示装置に輝度分布を示す表示が行われ、かつ露出補正が行われている第１の動作モードと、前記輝度分布を示す表示が行われていない第２の動作モードとを制御する動作モード制御手段と、前記第１の動作モードまたは第２の動作モードの何れで動作しているのかを判定する動作モード判定手段と、前記動作モード判定手段の判定の結果、前記第１の動作モードで動作している場合には前記ファインダー表示装置に表示する画像の表示更新を停止する表示制御手段と、前記表示制御手段により前記画像の表示更新が停止された場合には、前記ファインダー表示用の露出補正値をキャンセルして適正露出に設定する露出設定手段と、前記露出設定手段により設定された適正露出を用いて測光を行う測光手段とを有することを特徴とする。
また、本発明の撮像装置の他の特徴とするところは、露出補正値が設定された場合にはファインダー表示用の露出値には露出補正を加えない適正露出値を用い、撮影用の露出値には適正露出値に露出補正を加えた露出値を用いるようになされた撮像装置において、ファインダー表示装置に輝度分布を示す表示が行われ、かつ露出補正が行われている第１の動作モードと、前記輝度分布を示す表示が行われていない第２の動作モードとを制御する動作モード制御手段と、前記第１の動作モードまたは第２の動作モードの何れで動作しているのかを判定する動作モード判定手段と、前記動作モード判定手段の判定の結果、前記第１の動作モードで動作している場合にはファインダー表示用の露出値として適正露出値に露出補正を加えた露出値を用い、前記第２の動作モードで動作している場合にはファインダー表示用の露出値には露出補正を加えない適正露出値を用いるように選択する露出値選択手段とを有することを特徴とする。
【０００９】
本発明の撮像装置の制御方法は、露出補正値が設定された場合にはファインダー表示用の露出値には露出補正を加えない適正露出値を用い、撮影用の露出値には適正露出値に露出補正を加えた露出値を用いるようになされた撮像装置の制御方法において、ファインダー表示装置に輝度分布を示す表示が行われ、かつ露出補正が行われている第１の動作モードと、前記輝度分布を示す表示が行われていない第２の動作モードとを制御する動作モード制御工程と、前記第１の動作モードまたは第２の動作モードの何れで動作しているのかを判定する動作モード判定工程と、前記動作モード判定工程における判定の結果、前記第１の動作モードで動作している場合には前記ファインダー表示装置に表示する画像の表示更新を停止する表示制御工程と、前記表示制御工程において前記画像の表示更新が停止された場合には、前記ファインダー表示用の露出補正値をキャンセルして適正露出に設定する露出設定工程と、前記露出設定工程において設定された適正露出を用いて測光を行う測光工程とを有することを特徴とする。
また、本発明の撮像装置の制御方法の他の特徴とするところは、露出補正値が設定された場合にはファインダー表示用の露出値には露出補正を加えない適正露出値を用い、撮影用の露出値には適正露出値に露出補正を加えた露出値を用いるようになされた撮像装置の制御方法において、ファインダー表示装置に輝度分布を示す表示が行われ、かつ露出補正が行われている第１の動作モードと、前記輝度分布を示す表示が行われていない第２の動作モードとを制御する動作モード制御工程と、前記第１の動作モードまたは第２の動作モードの何れで動作しているのかを判定する動作モード判定工程と、前記動作モード判定工程における判定の結果、前記第１の動作モードで動作している場合にはファインダー表示用の露出値として適正露出値に露出補正を加えた露出値を用い、前記第２の動作モードで動作している場合にはファインダー表示用の露出値には露出補正を加えない適正露出値を用いるように選択する露出値選択工程とを有することを特徴とする。
【００１０】
本発明のコンピュータプログラムは、露出補正値が設定された場合にはファインダー表示用の露出値には露出補正を加えない適正露出値を用い、撮影用の露出値には適正露出値に露出補正を加えた露出値を用いるようになされた撮像装置の制御方法をコンピュータに実行させるコンピュータプログラムにおいて、ファインダー表示装置に輝度分布を示す表示が行われ、かつ露出補正が行われている第１の動作モードと、前記輝度分布を示す表示が行われていない第２の動作モードとを制御する動作モード制御工程と、前記第１の動作モードまたは第２の動作モードの何れで動作しているのかを判定する動作モード判定工程と、前記動作モード判定工程における判定の結果、前記第１の動作モードで動作している場合には前記ファインダー表示装置に表示する画像の表示更新を停止する表示制御工程と、前記表示制御工程において前記画像の表示更新が停止された場合には、前記ファインダー表示用の露出補正値をキャンセルして適正露出に設定する露出設定工程と、前記露出設定工程において設定された適正露出を用いて測光を行う測光工程とを有する撮像装置の制御方法をコンピュータに実行させることを特徴とする。
また、本発明のコンピュータプログラムの他の特徴とするところは、露出補正値が設定された場合にはファインダー表示用の露出値には露出補正を加えない適正露出値を用い、撮影用の露出値には適正露出値に露出補正を加えた露出値を用いるようになされた撮像装置の制御方法をコンピュータに実行させるコンピュータプログラムにおいて、ファインダー表示装置に輝度分布を示す表示が行われ、かつ露出補正が行われている第１の動作モードと、前記輝度分布を示す表示が行われていない第２の動作モードとを制御する動作モード制御工程と、前記第１の動作モードまたは第２の動作モードの何れで動作しているのかを判定する動作モード判定工程と、前記動作モード判定工程における判定の結果、前記第１の動作モードで動作している場合にはファインダー表示用の露出値として適正露出値に露出補正を加えた露出値を用い、前記第２の動作モードで動作している場合にはファインダー表示用の露出値には露出補正を加えない適正露出値を用いるように選択する露出値選択工程とを有する撮像装置の制御方法をコンピュータに実行させることを特徴とする。
【００１１】
本発明の記録媒体は、前記に記載のコンピュータプログラムを記録したことを特徴とする。
【発明の効果】
【００１２】
本発明によれば、輝度分布を示す表示を行う場合には、適正露出値に露出補正を加えた露出値をＥＶＦ用の露出値として用いるとともに、前記ＥＶＦ用の露出値を適正露出に一旦戻してから測光を行うようにした。これにより、露出精度とレリーズ時の動作レスポンスを悪化させることなく、ＥＶＦの輝度分布を示す表示を確認しながら、撮影時の露出値を決定するための露出補正値の調節を正確に行うことが可能となる。
【発明を実施するための最良の形態】
【００１３】
以下に、添付図面を参照して本発明を実施するための最良の形態について詳細に説明する。
尚、以下に説明する実施の形態は、本発明の実現手段としての一例であり、本発明が適用される装置の構成や各種条件によって適宜修正又は変更されるべきものであり、本発明は以下の実施の形態に限定されるものではない。
【００１４】
［装置の説明］
図１は、本発明に係る実施の形態の撮像装置の構成を示すブロック図である。
図１において、１００はデジタルカメラ等に代表される撮像装置である。１０は撮影レンズ、１２は絞り機能を備えるシャッター、１４は光学像を電気信号に変換する撮像素子、１６は撮像素子１４のアナログ信号出力をデジタル信号に変換するＡ／Ｄ変換部である。
１８は撮像素子１４、Ａ／Ｄ変換部１６、Ｄ／Ａ変換部２６にクロック信号や制御信号を供給するタイミング発生部であり、メモリ制御部２２及びシステム制御部５０により制御される。
【００１５】
２０は画像処理部であり、Ａ／Ｄ変換部１６からのデータ或いはメモリ制御部２２からのデータに対して所定の画素補間処理や色変換処理を行う。また、画像処理部２０においては、撮像した画像データを用いて所定の演算処理を行い、得られた演算結果に基づいてシステム制御部５０が露光制御部４０、測距制御部４２に対して制御を行う、ＴＴＬ（スルー・ザ・レンズ）方式のＡＦ（オートフォーカス）処理、ＡＥ（自動露出）処理、ＥＦ（ストロボプリ発光）処理を行っている。
【００１６】
さらに、画像処理部２０においては、撮像した画像データを用いて所定の演算処理を行い、得られた演算結果に基づいてＴＴＬ方式のＡＷＢ（オートホワイトバランス）処理も行っている。
【００１７】
２２はメモリ制御部であり、Ａ／Ｄ変換部１６、タイミング発生部１８、画像処理部２０、画像表示メモリ２４、Ｄ／Ａ変換部２６、メモリ３０、圧縮・伸長部３２を制御する。そして、Ａ／Ｄ変換部１６のデータが画像処理部２０、メモリ制御部２２を介して、或いはＡ／Ｄ変換部１６のデータが直接メモリ制御部２２を介して、画像表示メモリ２４或いはメモリ３０に書き込まれる。
【００１８】
２４は画像表示メモリ、２６はＤ／Ａ変換部、２８はＴＦＴ ＬＣＤ等から成る画像表示部であり、画像表示メモリ２４に書き込まれた表示用の画像データはＤ／Ａ変換部２６を介して画像表示部２８により表示される。
【００１９】
画像表示部２８を用いて撮像した画像データを逐次表示すれば、電子ビューファインダー（ＥＶＦ）機能を実現することが可能である。また、画像表示部２８は、システム制御部５０の指示により任意に表示をＯＮ／ＯＦＦすることが可能であり、表示をＯＦＦにした場合には撮像装置１００の電力消費を大幅に低減することができる。
【００２０】
３０は撮影した静止画像や動画像を格納するためのメモリであり、所定枚数の静止画像や所定時間の動画像を格納するのに十分な記憶量を備えている。これにより、複数枚の静止画像を連続して撮影する連写撮影やパノラマ撮影の場合、また、動画像撮影の場合にも、高速かつ大量の画像書き込みをメモリ３０に対して行うことが可能となる。
【００２１】
また、メモリ３０はシステム制御部５０の作業領域としても使用することが可能である。
３２は適応離散コサイン変換（ＡＤＣＴ）等により画像データを圧縮伸長する圧縮・伸長部であり、メモリ３０に格納された画像を読み込んで、例えばＪＰＥＧ或いはＭＰＥＧ形式で圧縮処理或いは伸長処理を行い、処理を終えたデータをメモリ３０に書き込む。
【００２２】
４０は絞り機能を備えるシャッター１２を制御する露光制御部であり、ストロボ４８と連携することによりストロボ調光機能も有するものである。４２は撮影レンズ１０のフォーカシングを制御する測距制御部、４４は撮影レンズ１０のズーミングを制御するズーム制御部、４６はバリアである保護部１０２の動作を制御するバリア制御部である。４８はストロボであり、ＡＦ補助光の投光機能、ストロボ調光機能も有している。
【００２３】
露光制御部４０、測距制御部４２はＴＴＬ方式を用いて制御されており、撮像した画像データを画像処理部２０によって演算した演算結果に基づき、システム制御部５０が露光制御部４０、測距制御部４２に対して制御を行う。５０は撮像装置１００全体を制御するシステム制御部、５２はシステム制御部５０の動作用の定数、変数、プログラム等を記憶するメモリである。
【００２４】
５４はシステム制御部５０でのプログラムの実行に応じて、文字、画像、音声等を用いて動作状態やメッセージ等を表示する液晶表示装置、スピーカー等の表示部であり、撮像装置１００の操作部近辺の視認し易い位置に単数或いは複数個所設置され、例えばＬＣＤやＬＥＤ、発音素子等の組み合わせにより構成されている。
【００２５】
表示部５４の表示内容のうち、ＬＣＤ等に表示するものとしては、動作モード表示、シングルショット/連写撮影表示、セルフタイマー表示、圧縮率表示、記録画素数表示、記録枚数表示、残撮影可能枚数表示、シャッタースピード表示、絞り値表示、露出補正表示、ストロボ表示、赤目緩和表示、マクロ撮影表示、ブザー設定表示、時計用電池残量表示、電池残量表示、エラー表示、複数桁の数字による情報表示、記録媒体２００及び２１０の着脱状態表示、通信I/F動作表示、日付け・時刻表示等がある。また、表示部５４の表示内容のうち、光学ファインダー１０４内に表示するものとしては、合焦表示、手振れ警告表示、ストロボ充電表示等がある。
【００２６】
５６は電気的に消去・記録可能な不揮発性メモリであり、例えばＥＥＰＲＯＭ等が用いられる。６０、６２、６４、６６及び７０は、システム制御部５０の各種の動作指示を入力するための操作部であり、スイッチやダイアル、タッチパネル、視線検知によるポインティング、音声認識装置等の単数或いは複数の組み合わせで構成される。
【００２７】
次に、これらの操作部の具体的な説明を行う。
６０はモードダイアルスイッチで、電源オフ、自動撮影モード、撮影モード、パノラマ撮影モード、再生モード、マルチ画面再生・消去モード、ＰＣ接続モード等の各機能モードを切り替え設定することができる。
【００２８】
６２はシャッタースイッチＳＷ１で、不図示のシャッターボタンの操作途中でＯＮとなり、ＡＦ（オートフォーカス）処理、ＡＥ（自動露出）処理、ＡＷＢ（オートホワイトバランス）処理、ＥＦ（ストロボプリ発光）処理等の動作開始を指示する。
【００２９】
６４はシャッタースイッチＳＷ２で、不図示のシャッターボタンの操作完了でＯＮとなり、撮像素子１４から読み出した信号をＡ／Ｄ変換部１６、メモリ制御部２２を介してメモリ３０に画像データを書き込む露光処理、画像処理部２０やメモリ制御部２２での演算を用いた現像処理、メモリ３０から画像データを読み出し、圧縮・伸長部３２で圧縮を行い、記録媒体２００或いは２１０に画像データを書き込む記録処理という一連の処理の動作開始を指示する。
【００３０】
６６は傾斜センサからなる姿勢検出部で、撮像装置が構えられているのが横位置であるか、縦位置であるか等の装置の姿勢を検出する。７０は各種ボタンやタッチパネル等からなる操作部で、メニューボタン、セットボタン、マクロボタン、マルチ画面再生改ページボタン、ストロボ設定ボタン、単写/連写/セルフタイマー切り替えボタン、メニュー移動＋（プラス）ボタン、メニュー移動−（マイナス）ボタン、再生画像移動＋（プラス）ボタン、再生画像移動−（マイナス）ボタン、撮影画質選択ボタン、露出補正ボタン、日付/時間設定ボタン等がある。
【００３１】
８０は電源制御部で、電源検出回路、ＤＣ−ＤＣコンバータ、通電するブロックを切り替えるスイッチ回路等により構成されており、外部電源の接続の有無、電池の装着の有無、電池の種類、電池残量の検出を行い、検出結果及びシステム制御部５０の指示に基づいてＤＣ−ＤＣコンバータを制御し、必要な電圧を必要な期間、記録媒体を含む各部へ供給する。
【００３２】
８２、８４はコネクタ、８６はアルカリ電池やリチウム電池等の一次電池やＮｉＣｄ電池やＮｉＭＨ電池、Ｌｉ電池等の二次電池、ＡＣアダプター、又は外部バッテリー等からなる電源部である。
【００３３】
９０及び９４はメモリカードやハードディスク等の記録媒体とのインターフェース、９２及び９６はメモリカードやハードディスク等の記録媒体と接続を行うコネクタ、９８はコネクタ９２及び或いは９６に記録媒体２００或いは２１０が装着されているか否かを検知する記録媒体検知部である。
【００３４】
なお、本実施の形態では記録媒体を取り付けるインターフェース及びコネクタを２系統持つものとして説明している。もちろん、記録媒体を取り付けるインターフェース及びコネクタは、単数或いは複数、いずれの系統数を備える構成としても構わない。また、異なる規格のインターフェース及びコネクタを組み合わせて備える構成としても構わない。インターフェース及びコネクタとしては、ＰＣＭＣＩＡカードやＣＦ（コンパクトフラッシュ（登録商標））カード等の規格に準拠したものを用いて構成して構わない。
【００３５】
さらに、インターフェース９０及び９４、そしてコネクタ９２及び９６をＰＣＭＣＩＡカードやＣＦカード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード、等の各種通信カードを接続することにより、他のコンピュータやプリンタ等の周辺機器との間で画像データや画像データに付属した管理情報を転送し合うことができる。
【００３６】
１０２は、撮像装置１００のレンズ１０を含む撮像部を覆うことにより、撮像部の汚れや破損を防止するバリアである保護部である。１１０は通信部で、ＲＳ２３２ＣやＵＳＢ、ＩＥＥＥ１３９４、Ｐ１２８４、ＳＣＳＩ、モデム、ＬＡＮ、無線通信、等の各種通信機能を有している。
【００３７】
１１２は通信部１１０により撮像装置１００を他の機器と接続するコネクタ或いは無線通信の場合はアンテナである。２００はメモリカードやハードディスク等の記録媒体である。記録媒体２００は、半導体メモリや磁気ディスク等から構成される記録部２０２、撮像装置１００とのインターフェース２０４、撮像装置１００と接続を行うコネクタ２０６を備えている。
【００３８】
２１０はメモリカードやハードディスク等の記録媒体である。
記録媒体２１０は、半導体メモリや磁気ディスク等から構成される記録部２１２、撮像装置１００とのインターフェース２１４、撮像装置１００と接続を行うコネクタ２１６を備えている。
【００３９】
次に、前述した撮像装置を用いて本発明の実施の形態を説明する。
（第１の実施の形態）
ここで、第１の実施の形態の撮像装置の動作について説明する。
図２は、本実施の形態の撮像装置１００におけるＥＶＦ用の露出制御の動作を示すフローチャートである。以下、図２を参照して、撮像装置１００におけるヒストグラム表示の有無による、ＥＶＦ用の露出制御の動作について説明する。本実施の形態における露出補正とは、適正露出状態からユーザの意図するレベルだけ露出状態を変化させることを指し、露出補正値とはそのユーザの意図するレベルの大きさを指す。
【００４０】
システム制御部５０は、ＥＶＦ用の露出制御を開始すると、ステップＳ１００において、ヒストグラム表示中か否かを判定する。この判定の結果、ヒストグラム表示中でなければ、後述するようにＥＶＦの露出値に露出補正値は加味されていないため、処理をステップＳ１０４へ進める。
【００４１】
一方、ステップＳ１００の判定の結果、ヒストグラム表示中であれば、システム制御部５０は、ステップＳ１０１で露出補正中か否かを判定する。この判定の結果、露出補正中でなければ、処理をステップＳ１０４へ進める。また、ステップＳ１０１の判定の結果、露出補正中であれば、システム制御部５０は、処理をステップＳ１０２に進め、撮像素子１４から得られる画像をＥＶＦに表示させないように、ＥＶＦの表示更新を停止する。
【００４２】
その後、ステップＳ１０３に移行して、露出補正値を「０」にする適正露出設定を行い、処理をステップＳ１０４へ進める。このとき、撮像素子１４の露光条件が変わるが、ステップＳ１０２でＥＶＦの表示更新を停止しているため、使用者には輝度変化は認識されない。
【００４３】
次に、システム制御部５０は、ステップＳ１０４で露出補正値が「０」となった露出条件で撮像素子１４の露光を行う。次に、ステップＳ１０５に進み、露光完了に続いて撮像素子１４から画像信号を読み出し、その後、ステップＳ１０６において画像処理部２０で被写体の輝度信号を抽出してその輝度値を求め、得られた輝度値と被写体の輝度信号が適正となる輝度値との差を演算する。次に、システム制御回路５０は、ステップＳ１０７において、ステップＳ１０６で演算した輝度差を露出差に換算し、その露出差が適正範囲内であるかどうかを判定する。
【００４４】
この判定の結果、適正範囲内でなければ、システム制御部５０は、ステップＳ１０８に移行して、換算した露出差に基づいて露出変更を行う。その後、ステップＳ１０４に移行して、再度測光のための露光を行う。
【００４５】
一方、ステップＳ１０７の判定の結果、露出差が適正範囲内であれば、システム制御部５０は、ステップＳ１０９に移行して、ヒストグラム表示中か否かを判定する。この判定の結果、ヒストグラム表示中でなければ、ステップＳ１１３に進んで処理終了か否かを判断する。この判断の結果、処理終了ではない場合にはステップＳ１００に移行して、レリーズ等の割り込み動作が入るまで、測光及び露出制御を繰り返し行う。よって、ステップＳ１００の説明で前述したように、ヒストグラム表示中でなければ、ＥＶＦの露出値には露出補正値は加味されないことになる。
【００４６】
一方、ステップＳ１０９の判定の結果、ヒストグラム表示中であれば、システム制御部５０は、ステップＳ１１０で露出補正中か否かを判定する。この判定の結果、露出補正中でなければステップＳ１１３に進み、前述したように終了状態になったか否かを判断する。
【００４７】
また、ステップＳ１１０の判定の結果、露出補正中であれば、システム制御部５０は、ステップＳ１１１に進み、このときの露出値に露出補正値を加味して露出値を変更し、ステップＳ１１２で撮像素子１４から得られる画像をＥＶＦに表示させるように、ＥＶＦの表示更新を再開する。
【００４８】
次に、ステップＳ１１３において処理を終了するか否かを判断する。この判断の結果、終了しない場合には処理をステップＳ１００へ移行して、レリーズ等の割り込み動作が入るまで、測光及び露出制御処理を繰り返し行う。以上が図２に示すＥＶＦ用の露出制御の動作である。
【００４９】
以上説明したように、本実施の形態によれば、ヒストグラム表示を行わない場合は適正露出値をＥＶＦ用の露出値とし、ヒストグラム表示を行う場合はＥＶＦ用の露出値に露出補正値を加えるように切り替えた。これにより、ＥＶＦ用の露出値には露出補正値を加えずに適正露出値を用いるようになされたデジタルカメラであっても、ＥＶＦのヒストグラム表示を確認しながら、撮影時の露出値を決定するための露出補正値の調節を正確に行うことが可能となる。また、露出精度やレリーズ時の動作レスポンスを重視して、ヒストグラム表示を行う場合は、撮像素子の出力の線形性が保たれない部分での露出制御を避けるようにした。
【００５０】
（第２の実施の形態）
次に、図３を参照して、本発明の第２の実施の形態における撮像装置の動作について説明する。
図３は、本実施の形態の撮像装置１００における撮影用の露出制御の動作を示すフローチャートである。
図３を参照して、撮像装置１００におけるヒストグラム表示中のレリーズ指示等による、撮影用の露出制御の動作について説明する。
【００５１】
システム制御部５０は、ヒストグラム表示中にレリーズ指示等を受けて、撮影用の露出制御を開始すると、ステップＳ２００において、露出補正中であるか否かを判定する。この判定の結果、露出補正中でなければ、システム制御部５０はステップＳ２０１へ移行し、図２のステップＳ１０６で説明した測光演算結果を保存しておいたものを読み出して、処理をステップＳ２０７へ進める。
【００５２】
一方、ステップＳ２００の判定の結果が露出補正中であれば、ステップＳ２０２に進み、撮像素子１４から得られる画像をＥＶＦに表示させないようにする。また、撮像素子１４の露光条件が変わることによる輝度変化をヒストグラムに反映させないように、ＥＶＦとヒストグラムの表示更新を停止する。
【００５３】
その後、ステップＳ２０３に移行し、測光を開始するために、露出補正が行われているので露出補正値を「０」にする適正露出設定を行い、その後、処理をステップＳ２０４へ進める。このとき、撮像素子１４の露光条件が変わるが、ステップＳ２０２でＥＶＦとヒストグラムの表示更新を停止しているため、使用者には輝度変化は認識されない。
【００５４】
次に、システム制御部５０は、ステップ２０４で露出補正値が「０」となった露出条件で撮像素子１４の露光を行い、ステップ２０５で露光完了に続いて撮像素子１４から画像信号を読み出し、ステップ２０６において画像処理部２０で被写体の輝度信号を抽出してその輝度値を求め、得られた輝度値と被写体の輝度信号が適正となる輝度値との差を算出し、処理をステップＳ２０７へ進める。
【００５５】
ステップＳ２０７においては、システム制御部５０は、輝度差を露出差に換算し、換算した露出差に基づいて撮影用の露出値を決定する。
次に、システム制御部５０は、ステップＳ２０８に処理を移行して、露出補正中か否かを判定する。この判定の結果、露出補正中でなければ、システム制御部５０は、撮影用の露出制御を完了する。
【００５６】
一方、ステップＳ２０８の判定の結果が露出補正中であれば、システム制御部５０は、ステップＳ２０９でこのときの露出値に露出補正値を加味して撮影用の露出値を決定する。その後、ステップＳ２１０で撮像素子１４から得られる画像をＥＶＦに表示させるとともに、撮像素子１４の露光条件が変化したことによる輝度変化をヒストグラムに反映させる。これにより、ＥＶＦとヒストグラムの表示更新が再開されて、撮影用の露出制御を完了する。以上が図３に示す撮影用の露出制御の動作である。
【００５７】
以上説明したように、本実施の形態によれば、露出精度やレリーズ時の動作レスポンスを重視して、撮像素子の出力の線形性が保たれない部分での露出制御を避けるために、ＥＶＦ用の露出値には露出補正値を加えずに適正露出値を用いるようになされたデジタルカメラであっても、ＥＶＦのヒストグラム表示を確認しながら、撮影時の露出値を決定するための露出補正値の調節を正確に行うことが可能となる。
【００５８】
また、ヒストグラムを参照しながら、露出補正値を設定する操作を行うには、デジタルカメラの露出に対してある程度の知識が要求される。このため、以上に説明した露出制御動作を、デジタルカメラの撮影モードが、絞り値（Ａｖ）優先や、シャッター速度（Ｔｖ）優先や、所定のプログラム線図（プログラム）等の場合に限定することで、デジタルカメラの操作性を判りやすくすることも可能である。
【００５９】
（本発明に係る他の実施の形態）
上述した本発明の実施の形態における撮像装置を構成する各手段、並びに撮像装置の制御方法の各ステップは、コンピュータのＲＡＭやＲＯＭなどに記憶されたプログラムが動作することによって実現できる。このプログラム及び上記プログラムを記録したコンピュータ読み取り可能な記録媒体は本発明に含まれる。
【００６０】
また、本発明は、例えば、システム、装置、方法、プログラムもしくは記憶媒体等としての実施の形態も可能であり、具体的には、複数の機器から構成されるシステムに適用してもよいし、また、一つの機器からなる装置に適用してもよい。
【００６１】
なお、本発明は、前述した実施の形態の機能を実現するソフトウェアのプログラム（実施の形態では図２及び図３に示すフローチャートに対応したプログラム）を、システムあるいは装置に直接、あるいは遠隔から供給し、そのシステムあるいは装置のコンピュータが前記供給されたプログラムコードを読み出して実行することによっても達成される場合を含む。
【００６２】
したがって、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。
【００６３】
その場合、プログラムの機能を有していれば、オブジェクトコード、インタプリタにより実行されるプログラム、ＯＳに供給するスクリプトデータ等の形態であってもよい。
【００６４】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【００６５】
その他、プログラムの供給方法としては、クライアントコンピュータのブラウザを用いてインターネットのホームページに接続し、前記ホームページから本発明のコンピュータプログラムそのもの、もしくは圧縮され自動インストール機能を含むファイルをハードディスク等の記録媒体にダウンロードすることによっても供給できる。
【００６６】
また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００６７】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【００６８】
また、コンピュータが、読み出したプログラムを実行することによって、前述した実施の形態の機能が実現される他、そのプログラムの指示に基づき、コンピュータ上で稼動しているＯＳなどが、実際の処理の一部または全部を行い、その処理によっても前述した実施の形態の機能が実現され得る。
【００６９】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行い、その処理によっても前述した実施の形態の機能が実現される。
【図面の簡単な説明】
【００７０】
【図１】本発明に係る実施の形態の撮像装置の構成を示すブロック図である。
【図２】第１の実施の形態によるＥＶＦ用の露出制御の動作を示すフローチャートである。
【図３】第２の実施の形態による撮影用の露出制御の動作を示すフローチャートである。
【符号の説明】
【００７１】
１０  撮影レンズ
１２  シャッター
１４  撮像素子
１６  Ａ／Ｄ変換部
１８  タイミング発生部
２０  画像処理部
２２  メモリ制御部
２４  画像表示メモリ
２６  Ｄ／Ａ変換部
２８  画像表示部
３０  メモリ
３２  画像圧縮・伸長部
４０  露光制御部
４２  測距制御部
４４  ズーム制御部
４６  バリア制御部
４８  ストロボ
５０  システム制御部
５２  メモリ
５４  表示部
５６  不揮発性メモリ
６０  モードダイアル
６２  シャッタースイッチSW1
６４  シャッタースイッチSW2
６６  姿勢検出部
７０  操作部
８０  電源制御部
８２、８４、９２、９６  コネクタ
８６  電源部
９０、９４  インターフェース
９８  記録媒体検知部
１００  撮像装置
１０２  保護部
１０４  光学ファインダー
１１０  通信部
１１２  コネクタ（アンテナ）
２００、２１０  記録媒体
２０２、２１２  記録部
２０４、２１４  インターフェース
２０６、２１６  コネクタ
【図１】
2007036676.tif 000003
【図２】
2007036676.tif 000004
【図３】
2007036676.tif 000005